(57)【要約】【課題】回転ドラムの前面の衣類投入口を蓋で覆うようにした衣類乾燥機において、蓋開放時の操作性を向上し、洗濯作業における煩わしさを解消する。【解決手段】筐体１内に略円筒形の回転ドラムを回転自在に軸支し、この回転ドラム内の衣類を乾かすヒータからの熱風をファンにより回転ドラム内へ導き排出し、回転ドラムの前面の衣類投入口２０を蓋２１により覆うよう構成する。蓋２１は、一方を筐体１に回動自在に軸支して取り付けるとともに、他方にラッチ２４を設けて筐体１に設けた係止部材２５に係止し、蓋２１の回動軸部材側に蓋２１を開方向に付勢するばねを配設し、ラッチ２４側に蓋２１を押す方向に力を加えたときに動作しラッチ２４を係止部材２５から開放し蓋２１を開状態とする蓋フック２７を配設する。【選択図】　図１
2004121355.tif 000002
【特許請求の範囲】
【請求項１】
筐体内に回転自在に軸支した略円筒形の回転ドラムと、この回転ドラム内の衣類を乾かす熱源と、この熱源からの熱風を前記回転ドラム内へ導き排出するファンと、前記回転ドラムの前面の衣類投入口を覆う蓋とを備え、前記蓋は、一方を筐体に回動自在に軸支して取り付けるとともに、他方にラッチを設け筐体に設けた係止部材に係止し、前記蓋の回動軸部材側に蓋を開方向に付勢するばねを配設し、前記ラッチ側に蓋を押す方向に力を加えたときに動作し前記ラッチを係止部材から開放し蓋を開状態とする蓋フックを配設した衣類乾燥機。
【請求項２】
蓋フックに突部傾斜面を形成し、この突部傾斜面に対向してラッチに傾斜面を形成し、蓋フックを押すことにより両傾斜面が摺動することによりラッチが蓋上をスライドするよう構成した請求項１記載の衣類乾燥機。
【請求項３】
蓋フックは、全体が可動するよう構成した請求項１または２記載の衣類乾燥機。
【請求項４】
蓋フックは、一方を軸支し他方を可動するよう構成した請求項１または２記載の衣類乾燥機。
【請求項５】
ラッチまたは蓋フックに設けた突部傾斜面の一方または両方に曲面を形成した請求項１〜４のいずれか１項に記載の衣類乾燥機。
【発明の詳細な説明】
【０００１】
【発明の属する技術分野】
本発明は、回転ドラムの前面の衣類投入口を蓋で覆うようにした衣類乾燥機に関するものである。
【０００２】
【従来の技術】
従来、この種の衣類乾燥機は図７および図８に示すように構成していた。以下、その構成について説明する。
【０００３】
図７および図８に示すように、筐体１は、内部に回転ドラム２を回転自在に配設し、回転ドラム２への衣類投入口３を筐体１の前面に形成し、衣類投入口３は蓋４により覆っている。回転ドラム２の後方に送風ファン５をシャフト６により軸支し、モータ７の回転をベルト８、９にて回転ドラム２および送風ファン５に伝達している。
【０００４】
ヒータ１０は、空気を加熱するもので、ヒータ１０により加熱された熱風を衣類撹拌用バッフル１１を介して回転ドラム２内に送風し、衣類を乾燥した後、回転ドラム２の後方に設けたフィルター１２を介して再びヒータ１０に循環している。
【０００５】
ここで、回転ドラム２への衣類投入口３を覆う蓋４は、左右の一方に、蓋４を開閉する際の軸、軸受け部を構成し、他方には蓋４を筐体１に固定するための係止機構を設けている。係止機構は、図９に示すように、筐体１に取り付けたドアーキャッチ１３に、蓋４に回動自在に取り付けた蓋フック１４の動きと連動して動作するラッチ１５が係止することにより、蓋４の係止が行われる。このとき、蓋フック１４は、機体に対して外側に引く方向に操作されるのが一般的であった（例えば、特許文献１）。
【０００６】
【特許文献１】
特開平７−１１６３９１号公報
【０００７】
【発明が解決しようとする課題】
しかしながら、衣類乾燥機の設置状態を省みると、我国においては設置スペースの問題から、洗濯機の設置面に乾燥機設置台を置く等して洗濯機と衣類乾燥機を縦方向に並べて設置するのが一般的である。
【０００８】
上記の従来の蓋４、蓋フック１４、ラッチ１５の構成では、洗濯機内にあった洗濯物を乾燥機に入れようとして持ったが、両手が塞がっているために蓋４を開けることができないという問題があり、また、一旦、蓋４を開けてその後洗濯物を乾燥機に入れようとしても設置状態や体の一部の蓋４への接触等により蓋４が閉まってしまい、乾燥機に洗濯物を入れることができないという事態が起こることもあった。
【０００９】
また、この不都合点を解消するために、蓋フック１４の形状を種々に変更したり、蓋フック１４の動きに対するラッチ１５のストロークを増減させることを試みたり、衣類乾燥機の設置台の乾燥機載置面を後方へ傾斜させる等が試みられたが、大きな成果が得にくいものであった。
【００１０】
本発明は上記従来の課題を解決するもので、蓋開放時の操作性を向上し洗濯作業における煩わしさを解消することを目的としている。
【００１１】
【課題を解決するための手段】
本発明は上記目的を達成するために、筐体内に略円筒形の回転ドラムを回転自在に軸支し、この回転ドラム内の衣類を乾かす熱源からの熱風をファンにより回転ドラム内へ導き排出し、回転ドラムの前面の衣類投入口を蓋により覆うよう構成し、蓋は、一方を筐体に回動自在に軸支して取り付けるとともに、他方にラッチを設けて筐体に設けた係止部材に係止し、蓋の回動軸部材側に蓋を開方向に付勢するばねを配設し、ラッチ側に蓋を押す方向に力を加えたときに動作しラッチを係止部材から開放し蓋を開状態とする蓋フックを配設したものである。
【００１２】
これにより、蓋開放時の操作性を向上することができ、洗濯作業における煩わしさを解消することができる。
【００１３】
【発明の実施の形態】
本発明の請求項１に記載の発明は、筐体内に回転自在に軸支した略円筒形の回転ドラムと、この回転ドラム内の衣類を乾かす熱源と、この熱源からの熱風を前記回転ドラム内へ導き排出するファンと、前記回転ドラムの前面の衣類投入口を覆う蓋とを備え、前記蓋は、一方を筐体に回動自在に軸支して取り付けるとともに、他方にラッチを設け筐体に設けた係止部材に係止し、前記蓋の回動軸部材側に蓋を開方向に付勢するばねを配設し、前記ラッチ側に蓋を押す方向に力を加えたときに動作し前記ラッチを係止部材から開放し蓋を開状態とする蓋フックを配設したものであり、蓋開放時に、蓋フックを押すことでラッチを係止部材から開放し、蓋の回動軸部材側に配設したばねにより蓋を開方向に付勢して開けることができ、蓋開放時の操作性を向上することができ、洗濯作業における煩わしさを解消することができる。
【００１４】
請求項２に記載の発明は、上記請求項１に記載の発明において、蓋フックに突部傾斜面を形成し、この突部傾斜面に対向してラッチに傾斜面を形成し、蓋フックを押すことにより両傾斜面が摺動することによりラッチが蓋上をスライドするよう構成したものであり、蓋フックを押すことにより両方の傾斜面において滑りが起こり、ラッチが蓋上をスライドすることによりラッチの係止、解除の動作を行うことができ、構造を簡素化することができる。
【００１５】
請求項３に記載の発明は、上記請求項１または２に記載の発明において、蓋フックは、全体が可動するよう構成したものであり、蓋フックはどの部分を押してもラッチが可動するようにでき、操作性をより高めることができる。
【００１６】
請求項４に記載の発明は、上記請求項１または２に記載の発明において、蓋フックは、一方を軸支し他方を可動するよう構成したものであり、動作の確実性を向上することができる。
【００１７】
請求項５に記載の発明は、上記請求項１〜４に記載の発明において、ラッチまたは蓋フックに設けた突部傾斜面の一方または両方に曲面を形成したものであり、蓋フックの動作量に対するラッチの動作量を蓋フックの動作位置により変化させ、さらなる操作性の向上とラッチと係止部材との着脱動作の確実性を向上することができる。
【００１８】
【実施例】
以下、本発明の実施例について、図面を参照しながら説明する。
【００１９】
（実施例１）
図３および図４に示すように、筐体１６は、内部に略円筒形の回転ドラム１７を回転自在に軸支し、この回転ドラム１７内の衣類を乾かすヒータ（熱源）１８からの熱風をファン１９により回転ドラム１７内へ導き排出し、回転ドラム１７の前面の衣類投入口２０を蓋２１により覆うよう構成している。
【００２０】
蓋２１は、図２に示すように、一方を筐体１６に固定した回動軸部材２２により回動自在に軸支して取り付け、この回動軸部材２２側に、蓋２１に開方向に付勢するばね２３を配設している。
【００２１】
蓋２１の他方に、図１に示すように、ラッチ２４を設け筐体１６に設けた係止部材２５に係止させて固定するよう構成し、ラッチ２４には係止部材２５側にラッチ２４を押し付けるラッチばね２６を配設し、かつ、蓋２１を押す方向に力を加えたときに動作してラッチ２４を係止部材２５から開放し、蓋２１を開状態とする蓋フック２７を配設している。
【００２２】
ここで、蓋フック２７の略中央部に傾斜面２８ａを有する突部２８を形成し、この傾斜面２８ａに対応する位置に配置されたラッチ２４に傾斜面２４ａを形成しており、蓋フック２７を押すことにより、突部２８の傾斜面２８ａをラッチ２４の傾斜面２４ａに押し付け、両傾斜面２４ａ、２８ａが摺動することによりラッチ２４が蓋２１上をスライドして動かすよう構成している。ここで、蓋フック２７に設けた突部２８の傾斜面２８ａは曲面を形成している。
【００２３】
上記構成において動作を説明する。蓋２１の閉状態では、ラッチばね２６によりラッチ２４を係止部材２５側に押し付け、ラッチ２４を係止部材２５に係止して蓋２１を閉状態に保持する。
【００２４】
つぎに、蓋体２１を開放するとき、蓋フック２７を押すと、蓋フック２７の略中央部に形成した突部２８の傾斜面２８ａによりラッチ２４の傾斜面２４ａに押圧し、ラッチ２４をラッチばね２６のばね力に抗して係止部材２５の反対側に移動させ、ラッチ２４を係止部材２５から開放する。このとき、蓋２１の回動軸部材２２側に配設したばね２３により蓋２１を開方向に付勢しているので、蓋２１を自動的に開けることができる。
【００２５】
このように本実施例によれば、蓋２１を開放するとき、蓋フック２７を押すことでラッチ２４を係止部材２５から開放し、蓋２１の回動軸部材２２側に配設したばね２３により蓋２１を開方向に付勢して開けることができ、蓋開放時の操作性を向上することができ、洗濯作業における煩わしさを解消することができる。
【００２６】
また、蓋フック２７の略中央部に傾斜面２８ａを有する突部２８を形成し、この傾斜面２８ａに対向してラッチ２４に傾斜面２４ａを形成し、蓋フック２７を押すことにより、両傾斜面が摺動することによりラッチ２４が蓋２１上をスライドするよう構成しているので、蓋フック２７を押すことにより両方の傾斜面において滑りが起こり、ラッチ２４が蓋２１上をスライドすることによりラッチ２４の係止、解除の動作を行うことができ、構造を簡素化することができる。
【００２７】
また、蓋フック２７に設けた突部２８傾斜面２８ａに曲面を形成しているので、蓋フック２７の動作量に対するラッチ２４の動作量を蓋フック２７の動作位置により変化させることができ、さらなる操作性の向上とラッチ２４と係止部材２５との着脱動作の確実性を向上することができる。
【００２８】
なお、本実施例では、蓋フック２７に設けた突部２８の傾斜面２８ａに曲面を形成しているが、ラッチ２４に形成した傾斜面２４ａに曲面を形成してもよく、また、傾斜面２８ａ、傾斜面２４ａともに曲面を形成してもよく、同様の作用効果を得ることができる。
【００２９】
（実施例２）
図５に示すように、蓋フック２９は一端に軸３０を設け、この軸３０を蓋３１に設けた長孔３２に係止して上下にスライド可能とし、他端に長孔３３を有するリブ３４を設け、このリブ３４が挿入される角穴３５を蓋３１の対応位置に設けている。この角穴３５に、蓋フック取付軸３６を装着する軸取付穴３７を設けており、蓋フック取付軸３６を装着することにより、軸先端部が蓋フック２９の溝３３を貫通し、蓋３１と蓋フック２９の取り付けができる。このとき、蓋フック２９の両端において一方に軸、他方に長孔を形成した取り付け構造となっているため蓋フック２９は全体が上下にスライド可能となる。
【００３０】
蓋３１と蓋フック２９との間には蓋フックばね３８を配設しており、蓋フック２９を押し上げるよう力が働いている。また、蓋フック２９の略中央部には、上記実施例１と同様に、傾斜面を有する突部２８を形成しており、蓋フック２９を押すことにより、この傾斜面に対応する位置に配置したラッチ２４を押し付けラッチを動かすよう構成している。他の構成は上記実施例１と同じである。
【００３１】
上記構成において動作を説明する。蓋フック２９は、全体が可動するよう構成しているので、蓋フック２９のどの部分を押してもラッチ２４が可動するようにできて、ラッチ２４を蓋３１の係止部材２５から外すことができ、操作性をより高めることができる。
【００３２】
（実施例３）
図６に示すように、蓋フック３９は、一方に突起４０を形成し、この突起４０を装着する角穴４１を蓋４２に設けるとともに、他方に蓋フック３９の回動軸穴４３を形成する突起４４を上下に２個所形成し、この突起４４によって挟持される蓋４２側に蓋フック回動軸４５の取付部４６を設け、蓋４２と蓋フック３９との間に蓋フックばね４７を配設し、蓋フック３９は、一方を突起４０により軸支し、他方を可動するよう構成している。
【００３３】
蓋フック３９の略中央部には、上記実施例１と同様に、傾斜面を有する突部２８を形成しており、蓋フック３９を押すことにより、この傾斜面に対応する位置に配置したラッチ２４を押し付け、ラッチ２４を動かすよう構成している。他の構成は上記実施例１と同じである。
【００３４】
上記構成において動作を説明する。蓋フック３９は、一方を軸支し他方を可動するよう構成しているので、蓋フック３９押すことによりラッチ２４が可動するようにできて、ラッチ２４を蓋４２の係止部材２５から外すことができ、動作の確実性を向上することができる。
【００３５】
【発明の効果】
以上のように、本発明の請求項１に記載の発明によれば、蓋の一方を筐体に回動自在に軸支して取り付けるとともに、他方にラッチを設けて筐体に設けた係止部材に係止し、蓋の回動軸部材側に蓋を開方向に付勢するばねを配設し、ラッチ側に蓋を押す方向に力を加えたときに動作しラッチを係止部材から開放し蓋を開状態とする蓋フックを配設することにより、蓋開放時の操作性を向上することができ、洗濯作業における煩わしさを解消することができる。
【図面の簡単な説明】
【図１】本発明の第１の実施例の衣類乾燥機の蓋係止部の要部断面図
【図２】同衣類乾燥機の蓋回動軸部の要部断面図
【図３】同衣類乾燥機の断面図
【図４】同衣類乾燥機の正面図
【図５】本発明の第２の実施例の衣類乾燥機の要部分解斜視図
【図６】本発明の第３の実施例の衣類乾燥機の要部分解斜視図
【図７】従来の衣類乾燥機の断面図
【図８】同衣類乾燥機の正面図
【図９】同衣類乾燥機の蓋係止部の要部断面図
【符号の説明】
１６　筐体
１７　回転ドラム
１８　ヒータ（熱源）
１９　ファン
２０　衣類投入口
２１　蓋
２２　蓋回動軸部材
２３　ばね
２４　ラッチ
２５　　係止部材
２７　　蓋フック
【図１】
2004121355.tif 000003
【図２】
2004121355.tif 000004
【図３】
2004121355.tif 000005
【図４】
2004121355.tif 000006
【図５】
2004121355.tif 000007
【図６】
2004121355.tif 000008
【図７】
2004121355.tif 000009
【図８】
2004121355.tif 000010
【図９】
2004121355.tif 000011